(57)【特許請求の範囲】
【請求項１】
露光用開口部を有する地板と、往復作動が可能であって初期位置から作動して少なくとも一つの羽根駆動部材を駆動ばねに抗してセット位置へ作動させるセット部材と、両端が前記地板に取り付けられ且つ両端間が前記セット部材に掛けられていて該両端に電圧が印加されたとき前記セット部材を初期位置からセット位置へ作動させる形状記憶合金とを備えていることを特徴とするカメラ用シャッタ。
【請求項２】
露光用開口部を有する地板と、往復作動が可能であって露光作動時に先羽根用駆動ばねによって一方へ作動され先羽根に前記露光用開口部を開かせる先羽根用駆動部材と、往復作動が可能であって露光作動時に後羽根用駆動ばねによって一方へ作動され後羽根に前記露光用開口部を閉じさせる後羽根用駆動部材と、往復作動が可能であって初期位置から作動して前記先羽根用駆動部材と前記後羽根用駆動部材とを前記各駆動ばねに抗してセット位置へ作動させるセット部材と、両端が前記地板に取り付けられ且つ両端間が前記セット部材に掛けられていて該両端に電圧が印加されたとき前記セット部材を初期位置からセット位置へ作動させる形状記憶合金とを備えていることを特徴とするカメラ用シャッタ。
【請求項３】
前記セット部材がセット位置に達したあと前記形状記憶合金に対する電圧印加が断たれても前記セット部材をセット位置に留めておく保持部材を備えており、前記セット部材は露光作動の直前に初期位置へ復帰するようにしたことを特徴とする請求項１又は２に記載のカメラ用シャッタ。
【請求項４】
前記セット部材は、前記先羽根用駆動部材と前記後羽根用駆動部材とが、それらのセット位置で先羽根用保持部材と後羽根用保持部材に保持されたあと直ちに初期位置へ復帰するようにしたことを特徴とする請求項２に記載のカメラ用シャッタ。
【請求項５】
前記形状記憶合金が前記セット部材に設けられた貫通孔又は鉤部に架設されていることを特徴とする請求項１乃至４の何れかに記載のカメラ用シャッタ。
【請求項６】
前記形状記憶合金がその両端間において前記セット部材に固定されていることを特徴とする請求項１乃至４の何れかに記載のカメラ用シャッタ。
【発明の詳細な説明】
【０００１】
【発明の属する技術分野】
本発明は、小型化に適した電動のセット機構を備えているカメラ用シャッタに関する。
【０００２】
【従来の技術】
通常のカメラにおいては、撮影が終了した後、次の撮影を行うのに先立って、シャッタ機構を撮影準備状態にセットする必要がある。古くは、このセット操作を手動で行っていたが、最近では、フィルムの巻き上げと同時にモータで行うのが普通になっている。その場合、モータは１個であって、フィルムの巻き上げ機構の作動に連動してシャッタ機構もセットしてしまう方法と、フィルムの巻き上げ機構のモータとは別の独自のモータによってシャッタ機構をセットする方法とが知られている。
【０００３】
しかしながら、最近におけるカメラの小型化に対する要求は極めて強く、特にＩＸ２４０カートリッジフィルム（アドバンストフォトシステムフィルム）の出現によって一段と拍車がかかっている。他方、フィルムの巻き上げやシャッタ機構のセットのほかに、焦点調節装置の駆動なども電動で行うようになってきたため、消費電力を極力抑えることが要求されている。
【０００４】
ところが、上記したように、シャッタ機構のセットを、フィルムの巻き上げ機構の作動に連動させるものの場合には、連動機構が必要であることから、カメラ内のレイアウトに大きな制約を受け、且つ小型化が困難である。また、連動機構を設けた分だけどうしても負荷が大きくなって高トルクのモータが必要になり、全体の消費電力を少なくすることも困難である。他方、シャッタ機構のセットを、独自のモータによって行うものの場合には、そのモータを複雑なシャッタ機構内、又はその近辺に配置することが極めて難しく、そのことが小型化の大きな妨げになってしまい、コンパクトに纏めるためにはシャッタの基本構成から考え直さざるを得なくなってしまう。
【０００５】
そこで、シャッタをセットするのに、上記した連動機構や独自のモータを設ける必要がなく、それによってカメラの小型化が可能となり、且つ消費電力の点でも有利なカメラ用シャッタの構成が、既に出願人によって出願されている。そして、その構成には、電圧の印加により長さの収縮するワイヤ状の形状記憶合金がアクチュエータとして用いられていて、その一端をシャッタ地板に取り付け、他端をシャッタのセット部材に取り付けるようにしたものである。
【０００６】
【発明が解決しようとする課題】
ところで、上記のような形状記憶合金を用いた場合には、形状記憶合金の両端にリード線を接続することになるから、上記のように、形状記憶合金の一端がセット部材に取り付けられている場合には、その電気的接続部が、常にセット部材と共に動かされることになる。最近のカメラにおいては、このような場合、ワイヤのリード線に接続することもあるが、むしろフレキシブルプリント配線板のリードに接続することが多くなっている。そのため、そのようなリード線やフレキシブルプリント配線板が、その都度、狭いスペース内で往復作動することになる。このことから、リード線の他端の固定位置やフレキシブルプリント配線板の固定位置を、上記の電気的接続部の作動方向，作動量に応じて適切に設定しないと、リード線やフレキシブルプリント配線板のリードが弛み過ぎて他の部材に接触したり、つれて断線したり、電気的接続部が破壊するという問題が起きてしまう。しかも、このような固定位置を狭いスペース内に設定することは、そんなに簡単なことではない。また、適切な位置に固定されたとしても、電気的接続部が常にセット部材と動き、セット部材の作動停止時における衝撃を直接に受けることになるので、その電気的接続部の耐久性にも問題が生じてくる。
【０００７】
本発明は、このような問題点を解決するためになされたものであり、その目的とするところは、形状記憶合金の一端を可動部材であるセット部材に取り付けず、形状記憶合金の両端ともシャッタ装置の地板に取り付けるようにしたことによって、小型化が可能であり且つ耐久性に優れたカメラ用シャッタを提供することである。
【０００８】
【課題を解決するための手段】
上記の目的を達成するために、本発明におけるカメラ用シャッタは、露光用開口部を有する地板と、往復作動が可能であって初期位置から作動して少なくとも一つの羽根駆動部材を駆動ばねに抗してセット位置へ作動させるセット部材と、両端が前記地板に取り付けられ且つ両端間が前記セット部材に掛けられていて該両端に電圧が印加されたとき前記セット部材を初期位置からセット位置へ作動させる形状記憶合金とを備えている。
【０００９】
また、上記の目的を達成するために、本発明におけるカメラ用シャッタは、露光用開口部を有する地板と、往復作動が可能であって露光作動時に先羽根用駆動ばねによって一方へ作動され先羽根に前記露光用開口部を開かせる先羽根用駆動部材と、往復作動が可能であって露光作動時に後羽根用駆動ばねによって一方へ作動され後羽根に前記露光用開口部を閉じさせる後羽根用駆動部材と、往復作動が可能であって初期位置から作動して前記先羽根用駆動部材と前記後羽根用駆動部材とを前記各駆動ばねに抗してセット位置へ作動させるセット部材と、両端が前記地板に取り付けられ且つ両端間が前記セット部材に掛けられていて該両端に電圧が印加されたとき前記セット部材を初期位置からセット位置へ作動させる形状記憶合金とを備えている。
【００１０】
また、本発明のカメラ用シャッタにおいては、好ましくは、前記セット部材がセット位置に達したあと前記形状記憶合金に対する電圧印加が断たれても前記セット部材をセット位置に留めておく保持部材を備えており、前記セット部材は露光作動の直前に初期位置へ復帰するように構成する。
また、本発明のカメラ用シャッタにおいては、好ましくは、前記セット部材は、前記先羽根用駆動部材と前記後羽根用駆動部材とが、それらのセット位置で先羽根用保持部材と後羽根用保持部材に保持されたあと直ちに初期位置へ復帰するように構成する。
【００１１】
更に、本発明のカメラ用シャッタにおいては、好ましくは、前記形状記憶合金が前記セット部材に設けられた貫通孔に挿通されているように構成する。
或いは、前記形状記憶合金が前記セット部材に設けられた鉤部に掛けられているように構成する。
或いは、前記形状記憶合金がその両端間において前記セット部材に固定されているように構成する。
【００１２】
【発明の実施の形態】
本発明の実施の形態を、図１〜図６に示した第１実施例と、図７に示した第２実施例で説明する。尚、図１は第１実施例の撮影終了直後におけるセット前状態を示す平面図である。図２は図１のＡ−Ａ線断面図であり、図３は要部の拡大部分側面図である。図４はセット後の状態を示す平面図であり、図５は第１実施例の作動を説明するためのタイミングチャートである。また、図６は要部の変形例を示した拡大部分側面図である。そして、図７は第２実施例の撮影終了直後におけるセット前状態を示す平面図である。
【００１３】
先ず、第１実施例の構成から説明するが、本実施例は、本発明をフォーカルプレンシャッタに適用したものである。合成樹脂製のシャッタ地板１には、周知のように略中央部に露光用開口部１ａが形成されているが、図面上では、その左方の一部だけが示されている。このシャッタ地板１の背面側には、周知のように、所定の間隔を空けて、図示していない中間板とカバー板が順に取り付けられている。中間板とカバー板にも上記開口部１ａと類似の形状の開口部が形成されており、それらの三つの開口部の合成によってシャッタユニットとしての露光用開口が決められている。そして、本実施例の場合には、シャッタ地板１と中間板の間には先羽根が配置され、中間板とカバー板の間には後羽根が配置されている。
【００１４】
このシャッタ地板１の表面側には、軸１ｂ，１ｃ，１ｄが立設されており、このうち軸１ｂ，１ｃはシャッタ地板１の背面側にも突き出ていて、その部分は細く形成されている。周知であるため図示していないが、本実施例における先羽根及び後羽根は、夫々、シャッタ地板１の背面側に枢着された二つのアームに複数の分割羽根を枢支した構成をしていて、夫々の一方のアーム（以下、主アームという）は、軸１ｂと軸１ｃに枢着されている。また、シャッタ地板１には、貫通した円弧状の孔１ｅ，１ｆが形成され、更に、上記した露光用開口部１ａの縁に略平行となるように溝１ｇが形成されている。この溝１ｇは途中から二つの溝に分かれており、夫々、略Ｌ字形に屈曲している。そして、この溝１ｇ内の略直線部には、蒲鉾状の複数のガイド部１ｈが形成され、夫々の屈曲部には、曲率半径を大きくするように円弧面をもった軸状のガイド部１ｉが形成されている。また、図２から分かるように、各屈曲部の表面側にはガイド部１ｉを覆うようにして夫々張出部１ｊが形成され、背面側には夫々孔１ｋが形成されている。更に、各張出部１ｊの近辺には、その反対側から溝１ｇの一部を覆うようにして、夫々もう一つの張出部１ｍが形成されている。
【００１５】
シャッタ地板１の表面側において、軸１ｂ，１ｃに、合成樹脂製の先羽根用駆動部材２，後羽根用駆動部材３が回転可能に取り付けられている。これらの駆動部材２，３には、夫々、作動ピン２ａ，３ａ、取付部２ｂ，３ｂが設けられ、且つローラ２ｃ，３ｃが回転可能に取り付けられている。このうち作動ピン２ａ，３ａは、円弧状の孔１ｅ，１ｆを貫通して、先羽根及び後羽根の各主アームに形成された孔に嵌合している。そのため、先羽根用駆動部材２が反時計方向へ回転したときには、作動ピン２ａは主アームを反時計方向へ作動させて分割羽根を展開させ、時計方向へ回転したときには、作動ピン２ａは主アームを時計方向へ作動させて分割羽根を重畳させるようになっている。他方、後羽根用駆動部材３が反時計方向へ回転したときには、作動ピン３ａは主アームを反時計方向へ作動させて分割羽根を重畳させ、作動ピン３ａが主アームを時計方向へ作動させたときには分割羽根を展開させるようになっている。
【００１６】
また、各駆動部材２，３の取付部２ｂ，３ｂは、図１において手前側に隆起したようにして形成されており、夫々、鉄片部材４，５を取り付けているが、その具体的な取り付け構成を明示するために、図１及び図３においてはその部分を断面で示してある。鉄片部材４，５は、電磁石に吸着される鉄片部４ａ，５ａと、該取付部２ｂ，３ｂに形成された孔に緩く嵌合している軸部４ｂ，５ｂと、更には鍔部４ｃ，５ｃとで構成されており、該軸部４ｂ，５ｂの軸方向へも移動し得るようになっている。そして、該鉄片部４ａ，５ａと該取付部２ｂ，３ｂとの間には圧縮ばね６，７が介在しており、該鍔部４ｃ，５ｃが取付部２ｂ，３ｂに接触するように付勢している。また、先羽根用駆動部材２と後羽根用駆動部材３は、夫々、先羽根用駆動ばね８と後羽根用駆動ばね９によって時計方向へ回転するように付勢されており、各駆動ばね８，９の一端は上記した取付部２ｂ，３ｂの根元に掛けられ、他端はシャッタ地板１のばね掛け１ｎ，１ｐに掛けられている。
【００１７】
シャッタ地板１の軸１ｃには、更に、係止レバー１０が回転可能に取り付けられている。この係止レバー１０は、操作部１０ａとフック部１０ｂを有していて、ばね１１によって反時計方向へ回転するように付勢され、その回転をストッパ１ｑによって阻止されるようになっている。また、シャッタ地板１の軸１ｄには、合成樹脂製のセット部材１２が回転可能に取り付けられており、ばね１３によって反時計方向へ回転するように付勢されている。そして、このばね１３は、一端をセット部材１２のばね掛け１２ａに掛け、他端をシャッタ地板１に設けられたばね掛け１ｒに掛けている。また、このセット部材１２には、カム形状をした二つの押動部１２ｂ，１２ｃが形成されており、更に押動部１２ｂの端を肉厚にして係合部１２ｄを形成している。
【００１８】
このセット部材１２の背面側には、上記したシャッタ地板１の溝１ｇ内に臨ませているピン１２ｅが立設されている。図３の拡大部分側面図から分かるように、このピン１２ｅには径方向に貫通した孔１２ｆが形成され、両方の出口には面取り部が形成されている。溝１ｇ内には、ワイヤ状の形状記憶合金１４が配置されている。この形状記憶合金１４は、前記の孔１２ｆに挿通されており、両端は溝１ｇ内に取り付けられている。そして、その取り付け方、夫々の端部を止め具１５，１６に巻き込むようにしてかしめ止めし、その止め具１５，１６をビス１７，１８によって固定している。周知のように、この種の形状記憶合金はその両端に電圧を印加すると、その長さが収縮し、冷却すると元へ戻るという性質を有している。従って、この形状記憶合金１４の両端に、リード線１９，２０が接続されている。その場合、リード線１９，２０を止め具１５，１６に半田で接合してもよいが、本実施例の場合には、形状記憶合金１４と一緒に止め具１５，１６にかしめ止めされている。
【００１９】
周知のため図示していないが、シャッタ地板１の表面側には、該シャッタ地板１と平行になるようにして取付け板（上地板と称されることもある）が取り付けられている。そして、その下面、即ちシャッタ地板１側の面には先羽根用電磁石２１と後羽根用電磁石２２とが取り付けられている。そのため、図１及び図４には、それらの電磁石２１，２２を一点鎖線で示してある。本実施例における電磁石２１，２２は、鉄芯部材２１ａ，２２ａが、夫々二つの磁極部で鉄片部材４，５を吸着するようにするためにＵ字形をしており、各々一方の磁極部にコイル２１ｂ，２２ｂを巻回した構成をしている。しかしながら、鉄芯部材２１ａ，２２ａは、各々の二つの磁極部が、シャッタ地板１に対して垂直となるように配置されているので、図面上には各々一方の磁極部だけが見えている。
【００２０】
次に、図５も参照しながら本実施例の作動を説明する。図１は、撮影終了直後の状態を示している。従って、先羽根用駆動部材２と後羽根用駆動部材３とは、各駆動ばね８，９によって露光作動を完了した状態にあり、撮影者は、未だカメラのレリーズボタンを押したままの状態である。この状態においては、図示していない先羽根の各分割羽根は重畳して露光用開口部１ａの下方位置に格納されており、後羽根の分割羽根は展開して露光用開口部１ａを覆っていて、セット部材１２は、ばね１３によって初期位置に復帰している。尚、このセット部材１２の初期位置はストッパによって規制されるようにしてもよいが、本実施例においては、形状記憶合金１４の長さによって規制されている。
【００２１】
この状態から、レリーズボタンの押下げ力を解除すると電源スイッチＳＷがオフになる。但し、電源スイッチＳＷがオフになっても、所定の時間だけ、フィルムの巻上げ用モータＭｏと形状記憶合金１４（図４においては符号ＳＭＡ）に電力の供給が可能になっているので、その電源スイッチＳＷのオフ信号でフィルムの巻き上げが行われ、それと同時に形状記憶合金１４に電圧が印加される。そのため、形状記憶合金１４は、急速に収縮して短くなり、セット部材１２を、ばね１３に抗して時計方向へ回転させる。この回転によって、セット部材１２は、先ず、その押動部１２ｂが被押動部であるローラ２ｃを押す。そのため、先羽根用駆動部材２は先羽根用駆動ばね８に抗して反時計方向へ回転し、作動ピン２ａによって、図示していない先羽根の主アームを、軸１ｂで反時計方向へ回転させる。その結果、図示していない分割羽根が展開しながら上方へ作動を開始するが、そのスリット形成羽根の一部が、後羽根のスリット形成羽根に所定量重なった段階で、セット部材１２の他方の押動部１２ｃが、後羽根用駆動部材３のローラ３ｃを押し始める。
【００２２】
このようにして、ローラ３ｃが押動部１２ｃに押され、後羽根用駆動部材３が、駆動ばね９に抗して反時計方向へ回転すると、作動ピン３ａが、図示していない後羽根の主アームを、軸１ｃで反時計方向へ回転させる。その結果、後羽根の分割羽根は、重畳しながら上方へ作動する。セット部材１２が更に回転すると、その係合部１２ｄが、係止レバー１０のフック部１０ｂの背中を押し、係止レバー１０をばね１１に抗して時計方向へ回転させる。その直後に、鉄片部材４，５の鉄片部４ａ，５ａが相次いで鉄芯部材２１ａ，２２ａに接触する。その後、セット部材１２の係合部１２ｄと、係止レバー１０のフック部１０ｂの背中の接触が外れた段階で、形状記憶合金１４の収縮が終わり（セット部材１２の時計方向の回転に対しストッパを設けてもよい）、セット部材１２は停止する。従って、係止レバー１０のフック部１０ｂは、ばね１１によって係合部１２ｄの作動軌跡内に復帰する。そのときの状態が図４に示されている。
【００２３】
このとき、鉄片部材４，５の鉄片部４ａ，５ａは、鉄芯部材２１ａ，２２ａに密接され、圧縮ばね６，７が圧縮されているため、鉄片部材４，５の鍔部４ｃ，５ｃと取付部２ｂ，３ｂとは非接触状態となっている。また、先羽根は展開状態となって露光用開口部１ａを覆っており、後羽根は重畳状態となって露光用開口部１ａの上方位置に格納されている。このようにしてシャッタのセットが完了した後、形状記憶合金１４に対する電圧の印加が断たれ、続いてフィルムの巻き上げ作動が終了すると、カメラは、次の撮影の準備状態となる。
【００２４】
尚、電圧の印加が断たれると、形状記憶合金１４は延伸するが、セット部材１２は、係止レバー１０に係止されているので反時計方向へは回転しない。また、それによって、形状記憶合金１４は延伸した分だけ弛むことになるが、張出部１ｊ，１ｍが近接位置において反対側から形成されているので、形状記憶合金１４がガイド部１ｉから外れるようなことはない。また、形状記憶合金１４が溝１ｇから外へ出ないようにするために、必要に応じてこのような張出部１ｊ，１ｍの数を増やしても構わない。
【００２５】
次に、レリーズ作動について説明する。カメラのレリーズボタンを押すと、その初期段階で電源スイッチＳＷが閉じ、測光回路が働くと共に先羽根用電磁石２１と後羽根用電磁石２２の両コイル２１ｂ，２２ｂに通電され、鉄芯部材２１ａ，２２ａが励磁される。そのため、各鉄片部材４，５の、鉄片部４ａ，５ａは鉄芯部材２１ａ，２２ａに磁気的に吸着される。この段階で撮影者は、周知の表示装置によって撮影条件の適否等を確認することができる。その後、更にレリーズボタンを押すと、係止レバー１０が、図示していない電磁石Ｍｇによって操作部１０ａを吸引され、ばね１１に抗して時計方向へ回転する。その結果、係止レバー１０のフック部１０ｂが係合部１２ｄから外れ、セット部材１２は、ばね１３によって図１に示されている初期位置へ復帰する。そして、このセット部材１２の復帰作動に連動して露光時間制御回路がトリガーされる。従って、セット部材１２の係止が解除される前にレリーズボタンの押し下げ力を解除すれば、撮影を止めることが可能となる。
【００２６】
露光時間制御回路がトリガーされ、所定の遅延時間が経過すると、先羽根用電磁石２１のコイル２１ｂに対する通電が断たれる。それによって、先羽根用駆動部材２は、先羽根用駆動ばね８の力によって時計方向へ回転し、作動ピン２ａによって先羽根の主アームを時計方向へ作動させる。そのため、先羽根を構成する複数の分割羽根は重畳されてゆき、露光用開口部１ａを開いていく。そして、開き終わった直後に、作動ピン２ａが孔１ｅの下端縁に衝突し、図示していない手段によってバウンドを防止され、露光用開口部１ａの下方位置に格納され、停止する。
【００２７】
先羽根用電磁石２１のコイル２１ａに対する通電が断たれてから、測光結果に対応した所定時間後に、後羽根用電磁石２２のコイル２２ｂに対する通電が断たれる。そのため、後羽根用駆動ばね９の付勢力によって、後羽根用駆動部材３が時計方向へ回転し、作動ピン３ａが、後羽根の主アームを時計方向へ作動させる。その結果、後羽根群を構成する複数の分割羽根は展開されてゆき、露光用開口部１ａを閉じていく。そして、閉じ終わった直後に、作動ピン３ａが孔１ｆの下端縁に衝突し、図示していない手段によってバウンドを防止され、露光用開口部１ａを覆った状態で停止する。このときの状態が、図１に示した状態である。
【００２８】
このように、本実施例によれば、シャッタをセットするとき、従来のようにフィルムの巻き上げ機構に機械的に連動させておらず、且つ独自のモータを使用してもいないので、カメラ内のスペース活用が自由となり、カメラの小型化に適した構成となっている。また、形状記憶合金１４は、シャッタ地板１の溝１ｇ内に配置されているので、従来のシャッタ構成の配置及び作動に殆ど影響を与えることがない。更に、形状記憶合金１４は、溝１ｇ内に形成されたガイド部１ｈ，１ｉによって、抵抗力が小さい条件の下で伸縮するので、モータに比較して消費電力が少なくて済むという特徴がある。更にまた、形状記憶合金１４の両端がシャッタ地板１に取り付けられているので、リード線１９，２０は、いずれも不動であり、断線とか耐久性についての心配がない。
【００２９】
尚、上記のようなガイド部の数は、必要に応じて決めることになる。また、形状記憶合金１４の収縮率によっては、設置に要する長さが異なってくる。その場合には、溝１ｇの屈曲部を複数箇所に増やしてもよいし、シャッタ機構の構成次第では、全く設けなくても差し支えない。また、本実施例においては、セット部材１２の操作部（ピン１２ｅの位置）が、露光用開口部１ａの側方位置中央部に配置されているが、シャッタ機構によっては、セット部材を複数の部品で構成し、その操作部を露光用開口部１ａの上端辺又は下端辺の延長線上よりも上方位置又は下方位置に配置したものが周知である。本発明は、そのようなものにも適用することができる。また、本実施例においては、形状記憶合金１４を、セット部材１２に立設されたピン１２ｅの孔１２ｆに挿通させているが、図６の拡大部分側面図に示すように、セット部材１２に一体的に鉤部１２ｅ′を形成し、そこに掛けるようにしてもよい。また、場合によっては適宜な手段によってセット部材１２に固定しても構わない。
【００３０】
更に、本実施例のフオーカルプレンシャッタは、所謂ダイレクトタイプと称されているシャッタであって、各駆動部材２，３は鉄片部材４，５を備えていて、電磁石に直接吸着されるように構成されたシャッタである。露光作動のタイミングを電気的に制御するフオーカルプレンシャッタには、このほかに係止タイプと称されているシャッタがあり、本発明は、そのようなタイプのシャッタにも適用することができる。即ち、このタイプのシャッタは、各駆動部材２，３がセットされると、その位置で専用の係止部材によって保持され、露光時には、夫々の係止部材を順次電磁石の作動によって外し、その保持力を解除するようにしたものである。従って、このタイプのシャッタに本発明を適用した場合には、セット作動が終了したとき、セット部材１２を直ちに初期位置に復帰させても構わないようになり、係止部材１０が不要となり且つ形状記憶合金１４の弛み状態を考慮しなくてよいことになる。また、上記の係止部材をガバナーの機械的制御によって外すようにしたシャッタにも本発明を適用することが可能である。
【００３１】
次に、図７を用いて本発明の第２実施例を説明する。上記した第１実施例が、ダイレクトタイプのフォーカルプレンシャッタに適用した例であったのに対して、本実施例は、レンズシャッタに適用した場合の例である。そして、本実施例の構成は、原理的には、上記した係止タイプのフォーカルプレンシャッタと同一視することができる。先ず、本実施例の構成から説明する。シャッタ地板３１には、円形状の露光用開口部３１ａが形成されている。このシャッタ地板３１の背面側には、周知のように、所定の間隔を空けて、順に、図示していない中間板とカバー板が取り付けられており、シャッタ地板３１と中間板との間に先羽根３２の羽根室を、また中間板とカバー板の間に後羽根３３の羽根室を形成している。
【００３２】
更に、中間板とカバー板にも上記開口部３１ａと同心的に開口部が形成されているが、開口部３１ａの口径の方が小さく、シャッタユニットとしての露光用開口は開口部３１ａによって規制されている。尚、カバー板の外形はシャッタ地板３１の外形と略同じ形状をしているが、中間板は、先羽根３２と後羽根３３が作動上干渉しないようにするために配置されているので、それと関係のないシャッタ地板３１の外周方向位置には、取り付け部を除き存在していない。先羽根３２，後羽根３３は、長孔３２ａ，３３ａを有していて、夫々、シャッタ地板３１の軸３１ｂ，３１ｃに回転可能に取り付けられている。
【００３３】
シャッタ地板３１の表面側には、軸３１ｄ，３１ｅ，３１ｆ，３１ｇ，３１ｈが立設されている。そして、軸３１ｄには先羽根用駆動部材３４が回転可能に取り付けられている。この先羽根用駆動部材３４には、被押動部３４ａと嘴部３４ｂが形成されており、背面側には作動ピン３４ｃが立設されている。そのうち、嘴部３４ｂは被係止面３４ｂ１  とカム面３４ｂ２  を有しており、また、作動ピン３４ｃは、シャッタ地板３１に形成された図示していない孔を貫通して、先羽根３２の長孔３２ａに嵌合している。そして、この先羽根用駆動部材３４は、先羽根用駆動ばね３５によって時計方向へ回転するように付勢されているが、その回転をストッパ３１ｉによって停止されている。
【００３４】
軸３１ｅには、先羽根用係止部材３６が回転可能に取り付けられている。この先羽根用係止部材３６には、嘴部３６ａと鉄片部３６ｂが形成されており、その嘴部３６ａは、係止面３６ａ１  とカム面３６ａ２  を有している。そして、この先羽根用係止部材３６は、ばね３７によって時計方向へ回転するように付勢されているが、その回転をストッパ３１ｊによって停止されている。また、シャッタ地板３１には先羽根用電磁石３８が取り付けられている。この先羽根用電磁石３８は鉄芯部材３８ａとコイル３８ｂで構成され、コイル３８ｂに通電されたとき、鉄芯部材３８ａが、先羽根用係止部材３６の鉄片部３６ｂを吸引するようになっている。
【００３５】
軸３１ｆには後羽根用駆動部材３９が回転可能に取り付けられている。この後羽根用駆動部材３９には、被押動部３９ａと嘴部３９ｂが形成されており、背面側には作動ピン３９ｃが立設されている。その嘴部３９ｂは被係止面３９ｂ１  とカム面３９ｂ２  を有しており、また、作動ピン３９ｃは、シャッタ地板３１に形成された図示していない孔を貫通して、後羽根３３の長孔３３ａに嵌合している。また、この後羽根用駆動部材３９は、後羽根用駆動ばね４０によって時計方向へ回転するように付勢されているが、その回転をストッパ３１ｋによって停止されている。
【００３６】
軸３１ｇには、後羽根用係止部材４１が回転可能に取り付けられている。この後羽根用係止部材４１には、嘴部４１ａと鉄片部４１ｂが形成されており、その嘴部４１ａは、係止面４１ａ１  とカム面４１ａ２  を有している。また、この後羽根用係止部材４１は、ばね４２によって時計方向へ回転するように付勢されているが、その回転をストッパ３１ｍによって停止されている。また、シャッタ地板３１には後羽根用電磁石４３が取り付けられている。この後羽根用電磁石４３は鉄芯部材４３ａとコイル４３ｂで構成され、コイル４３ｂに通電されたとき、鉄芯部材４３ａが、後羽根用係止部材４１の鉄片部４１ｂを吸引するようになっている。
【００３７】
軸３１ｈには、セット部材４４が回転可能に取り付けられており、ばね４５によって反時計方向へ回転するように付勢されている。そして、その回転をストッパ３１ｎによって停止されている。また、このセット部材４４には、先羽根用駆動部材３４の被押動部３４ａを押す押動部４４ａと、後羽根用駆動部材３９の被押動部３９ａを押す押動部４４ｂが形成され、更に、背面側にはピン４４ｃが立設されている。このピン４４ｃは、第１実施例におけるピン１２ｅと実質的に同じであって、ピン１２ｅに形成された孔１２ｆと同じような孔を有している。
【００３８】
シャッタ地板３１に形成された屈曲形状の溝３１ｐの中に、ワイヤ状の形状記憶合金４６が配置されている。この形状記憶合金４６は、ピン４４ｃに挿通されていて、その両端が、溝３１ｐ内でシャッタ地板３１に取り付けられている。また、その取り付け方が明示されていないが、適宜な方法でよく、第１実施例で説明した方法と同じにすると好都合である。そして、その両端にはリード線４７，４８が接続されている。尚、溝３１ｐの屈曲部にはガイド部３１ｑ，３１ｒが形成されているが、このほかにも溝３１ｐの底部に第１実施例に示したようなガイド部を形成することが好ましく、また、溝３１ｐの屈曲部に、形状記憶合金４６が溝３１ｐから外れないようにするため、第１実施例のような張出部を設けることが必要になる。
【００３９】
次に、本実施例の作動を説明するが、図７に示した状態は、撮影終了後であって、且つセット作動が行われる前の状態を示している。そのため、先羽根３２は露光用開口部３１ａから退いた状態にあり、後羽根３３が露光用開口部３１ａを閉鎖している。本実施例においては、シャッタがこの状態になると、一方ではフィルムの巻上げがモータによって開始され、他方では形状記憶合金４６の両端間に電圧が印加される。そのため、形状記憶合金４６は、急速に収縮して短くなり、セット部材４４を、ばね４５に抗して時計方向へ回転させる。
【００４０】
この回転によって、セット部材４４は、先ず、その押動部４４ａが被押動部３４ａを押し、先羽根用駆動部材３４を先羽根用駆動ばね３５に抗して反時計方向へ回転させる。そのため、先羽根用駆動部材３４は、作動ピン３４ｃによって、先羽根３２を軸３１ｂで反時計方向へ回転させ、露光用開口部３１ａを閉鎖させていく。その後、先羽根用駆動部材３４の嘴部３４ｂに形成されたカム面３４ｂ２  が、先羽根用係止部材３６の嘴部３６ａに形成されたカム面３６ａ２  に接触し、該カム面３６ａ２  を押すと、両カム面３４ｂ２  ，３６ａ２  の摺接作用によって、先羽根用係止部材３６は、ばね３７に抗して反時計方向へ回転する。
【００４１】
そして、やがて、両カム面３４ｂ２  ，３６ａ２  の摺接関係が解かれると、先羽根用係止部材３６は、ばね３７によって時計方向へ回転する。その直後に、上記した押動部４４ａが被押動部３４ａから離れるので、先羽根用駆動部材３４は、先羽根用駆動ばね３５によって時計方向へ回転するが、ほんの僅か回転したところで被係止面３４ｂ１  が係止面３６ａ１  に当接し、その回転を阻止される。それによって、先羽根３２は、その一部を一点鎖線で示すように、露光用開口部３１ａを閉鎖させた状態に保持される。
【００４２】
セット部材４４は、更に時計方向へ回転されると、今度は、その押動部４４ｂが被押動部３９ａを押し、後羽根用駆動部材３９を後羽根用駆動ばね４０に抗して反時計方向へ回転させる。そのため、後羽根用駆動部材３９は、作動ピン３９ｃによって、後羽根３３を軸３１ｃで時計方向へ回転させ、露光用開口部３１ａを開かせていく。その後、嘴部３９ｂに形成されたカム面３９ｂ２  が、後羽根用係止部材４１の嘴部４１ａに形成されたカム面４１ａ２  を押すと、摺接作用によって、後羽根用係止部材４１は、ばね４２に抗して反時計方向へ回転する。
【００４３】
そして、両カム面３９ｂ２  ，４１ａ２  の摺接関係が解かれると、後羽根用係止部材４１は、ばね４２によって時計方向へ回転するが、この時点で、セット部材４４の時計方向への回転が、図示していないストッパによって停止され、形状記憶合金４６に対する電圧の印加が断たれる。そのため、セット部材４４は、ばね４５によって反時計方向へ回転するが、その初期段階で、後羽根用駆動部材３９は、ほんの僅か時計方向へ回転し、その被係止面３９ｂ１  が係止面４１ａ１  に当接し、停止する。そのとき、後羽根３３は、その一部を一点鎖線で示しているように、露光用開口部３１ａから完全に退いている。セット部材４４は、その後の回転で、先羽根用駆動部材３４の被押動部３４ａを一時的に僅かに押すが、先羽根用駆動部材３４の係止状態を解くことなく、図５の位置に復帰する。その状態がセット完了状態である。
【００４４】
次に、レリーズ作動について説明する。カメラのレリーズボタンを押すと、その初期段階で電源スイッチが閉じ、測光回路が働く。レリーズボタンを更に押し下げると、先羽根用電磁石３８のコイル３８ｂに通電され、鉄芯部材３８ａが先羽根用係止部材３６の鉄片部３６ｂを吸引する。それによって、先羽根用係止部材３６は、ばね３７に抗して反時計方向へ回転し、嘴部３６ａによる先羽根用駆動部材３４の係止を解く。そのため、先羽根用駆動部材３４は、先羽根用駆動ばね３５によって急速に時計方向へ回転し、先羽根３２を露光用開口部３１ａから退かせる。
【００４５】
先羽根用電磁石３８のコイル３８ｂに通電してから、測光結果に対応した所定時間後に、後羽根用電磁石４３のコイル４３ｂに通電され、鉄芯部材４３ａが後羽根用係止部材４１の鉄片部４１ｂを吸引する。そのため、後羽根用係止部材４１は、ばね４２に抗して反時計方向へ回転し、嘴部４１ａによる後羽根用駆動部材３９の係止を解く。その結果、後羽根用駆動部材３９は、後羽根用駆動ばね４０によって急速に時計方向へ回転し、後羽根３３に、露光用開口部３１ａを閉じさせる。その状態が、図７に示された状態であって、その後、直ちに上記したセット作動が行われる。
【００４６】
このように、本実施例においても、シャッタをセットするに際し、従来のようにフィルムの巻き上げ機構に機械的に連動させておらず、また、独自のモータを使用してもいないので、カメラ内のスペース活用が自由となり、カメラの小型化に適した構成となっている。また、形状記憶合金４６は、シャッタ地板３１の溝３１ｐ内に配置されているので、従来のシャッタ構成の配置及び作動に殆ど影響を与えることがない。更に、形状記憶合金４６は、モータに比較して消費電力が少なくて済むという特徴がある。更にまた、本実施例においても、形状記憶合金４６の両端をシャッタ地板３１に取り付けているので、リード線４７，４８は、いずれも不動であり、断線とか耐久性についての心配はない。
【００４７】
尚、本実施例においても、ピン４４ｃに代えて、図６に示すような鉤部１２ｅ′を、セット部材４４に設けるようにしてもよく、また、場合によっては適宜な手段によって形状記憶合金４６を固定するようにしても差し支えない。また、本実施例においては、各係止部材３６，４１の係止を電磁石３８，４３によって解除しているが、本発明は、上記の係止をガバナーの機械的制御によって、順次、解除するようにしたシャッタにも適用することが可能である。更に本実施例においては、先羽根が露光用開口３１ａの開き作動を行い、後羽根が閉じ作動を行っているが、本発明はこのようなシャッタに限定されず、露光作動時に、往復作動して露光用開口３１ａを開閉するようにしたシャッタにも適用することが可能である。
【００４８】
【発明の効果】
上記のように、本発明によれば、シャッタをセットするに際して、従来のように、フィルムの巻き上げ機構に連動させるための機構や、独自のモータを設ける必要がなくなるため、カメラ内のレイアウト設計に自由度が増し、カメラの小型化と消費電力に有利なカメラ用シャッタが得られる。しかも、形状記憶合金に電圧を印加するための両端子部が不動であるように構成しているので、配線の運動空間を考慮する必要がなく、また断線や接続部の破壊の心配がない。
【図面の簡単な説明】
【図１】本発明の第１実施例の平面図であり、撮影終了直後におけるセット前状態を示している。
【図２】図１のＡ−Ａ線断面図である。
【図３】第１実施例の要部の拡大部分側面図である。
【図４】第１実施例の平面図であり、セット後の状態を示している。
【図５】第１実施例の作動を説明するためのタイミングチャートである。
【図６】第１実施例の要部の変形例を示した拡大部分側面図である。
【図７】第２実施例の平面図であり、撮影終了直後におけるセット前状態を示している。
【符号の説明】
１，３１                    シャッタ地板
１ｇ，３１ｐ                溝
１ｈ，１ｉ，３１ｑ，３１ｒ  ガイド部
１ｊ，１ｍ                  張出部
２，３４                    先羽根用駆動部材
２ａ，３ａ，３４ｃ，３９ｃ  作動ピン
３，３９                    後羽根用駆動部材
４，５                      鉄片部材
６，７                      圧縮ばね
８，３５                    先羽根用駆動ばね
９，４０                    後羽根用駆動ばね
１０                        係止レバー
１１，１３，３７，４２，４５  ばね
１２，４４                  セット部材
１２ｄ                      係合部
１２ｅ，４４ｃ              ピン
１２ｅ′                    鉤部
１２ｆ                      孔
１２ｇ                      面取り部
１４，４６                  形状記憶合金
１５，１６                  止め具
１７，１８                  ビス
１９，２０，４７，４８      リード線
２１，３８                  先羽根用電磁石
２２，４３                  後羽根用電磁石
３２                        先羽根
３３                        後羽根
３４ａ，３９ａ              被押動部
３４ｂ，３６ａ，３９ｂ，４１ａ  嘴部
３４ｂ１  ，３９ｂ１            被係止面
３４ｂ２  ，３６ａ２  ，３９ｂ２  ，４１ａ２    カム面
３６                        先羽根用係止部材
３６ａ１  ，４１ａ１            係止面
２６ｂ，３１ｂ，３６ｂ，４１ｂ  鉄片部
４１                        後羽根用係止部材
【図１】
0003593427.tif 000002
【図２】
0003593427.tif 000003
【図３】
0003593427.tif 000004
【図４】
0003593427.tif 000005
【図５】
0003593427.tif 000006
【図６】
0003593427.tif 000007
【図７】
0003593427.tif 000008